(57)【要約】【課題】  簡単な構成で、ほこりに起因する画質の低下を招くことのないプロジェクターを提供する。特に、高精細対応の液晶パネルやＤＭＤデバイスであっても対応でき、画質の劣化を防ぐことができる。【解決手段】  プロジェクター内部にイオン化電極と集塵用電極とからなる一対の電極間に電圧を印加し、プロジェクター内部に流入したほこりをイオン化用電極の放電により帯電させ、集塵用電極において捕捉するほこり除去装置を設けることを特徴とする。また上記集塵用電極を覆うように集塵紙を設けてプロジェクター外部から交換できるようにしている。また、電極間に印加する電圧として、プロジェクターのランプ用電源を共用している。【選択図】  図１
2005106903.tif 000002
【特許請求の範囲】
【請求項１】
強制空冷を行っている液晶プロジェクターにおいて、プロジェクター内部にイオン化用電極と集塵用電極とからなる一対の電極を設け電極間に電圧を印加することにより、プロジェクター内部のほこりをイオン化用電極の放電により帯電させ、集塵用電極において捕捉することを特徴とするプロジェクターのほこり除去装置。
【請求項２】
前記集塵用電極を覆うように集塵紙を設けたことを特徴とする請求項１記載のプロジェクターのほこり除去装置。
【請求項３】
前記集塵紙は、プロジェクター外部から交換可能であることを特徴とする請求項２記載のプロジェクターのほこり除去装置。
【請求項４】
前記電極間に印加する電圧として、プロジェクターの高電圧放電ランプに用いられる電圧を共用したことを特徴とする請求項１記載のプロジェクターのほこり除去装置。
【請求項５】
プロジェクターの強制空冷停止時に、前記電極間に電圧を印加することを特徴とする請求項１記載のプロジェクターのほこり除去装置。
【請求項６】
前記液晶プロジェクターが背面投射型プロジェクターであることを特徴とする請求項１記載のプロジェクターのほこり除去装置。
【発明の詳細な説明】
【技術分野】
【０００１】
本発明は、冷却効果を低下させずに防塵効果を上げた強制空冷式液晶プロジェクターのほこり除去装置に関する。
【背景技術】
【０００２】
近年、ＣＲＴに代わり、液晶パネルやＤＭＤ等の映像信号を光変調するデバイスを用いたプロジェクターが提供されている。これは各デバイスにカラーフィルターを付加し、照明用光源等の光学手段を準備するだけでカラー表示が可能になることから、ＣＲＴに比べ特に薄厚化の点などで有利なものとされている。
【０００３】
このようなデバイスにおいては、光源からの光を受けることにより温度が上昇し、その度合いが高くなるとこれに起因して偏光板が溶融したり、デバイスの性能が劣化してコントラスト等の表示性能や信頼性が低下してしまうおそれがある。その為、通常このようなデバイスを用いたプロジェクターにおいては、デバイス等の温度上昇を抑制するようにデバイス周辺を冷却するのが普通である。
【０００４】
冷却するための構造としては空冷式のものが一般的であり、デバイスの近傍にファンを設け、外部から取り入れた空気をファンでデバイス周辺に送ることにより冷却するものである。空気の外部取り入れ口には、ほこりを補足するネット部材を設けている。
【特許文献１】特開平０６−００３６４４号公報
【発明の開示】
【発明が解決しようとする課題】
【０００５】
しかしながら、最近のプロジェクターでは高精細のデバイスを用いることが多くなっており、冷却時に外部取り入れ口のネット部材を通り抜けたほこりだけでなく、使用しない時に、冷却時に空気が排気される排気口や他の隙間から進入したほこりがデバイスの表面に付着して、そのほこりがプロジェクターで投影されることにより画質が損なわれてしまうことがあった。しかし、空気の取り入れ口や排気口のネット部材の網目を細かくして対応すると、冷却する空気の流れが悪くなり、冷却効果が薄くなってしまう欠点があった。
【０００６】
本発明は上記問題点に鑑みてなされたもので、強制空冷を行っているプロジェクターで冷却効果を低下させずに防塵効果を上げる手段を提供することを目的とする。
【課題を解決するための手段】
【０００７】
本発明のほこり除去装置は、プロジェクター内部にイオン化用電極と集塵用電極とからなる一対の電極間に電圧を印加し、プロジェクター内部の空気中に流入したほこりを、イオン化用電極の放電により帯電させ、集塵用電極において捕捉するほこり除去装置を設けることを特徴とする。
【０００８】
また、上記集塵用電極を覆うように集塵紙を設けてプロジェクター外部から交換できるようにしている。
【０００９】
また、電極間に印加する電圧として、プロジェクターの高電圧放電ランプに用いられる電圧を共用する。
【００１０】
また、プロジェクターが動作していない時にも、電極間に電圧を印加し２極間の放電を利用してプロジェクター内部のほこりを除去する。
【発明の効果】
【００１１】
冷却装置の空気取り入れ口や排気口や他の隙間から進入するほこりに起因する画質の低下を招くことがなく、かつ冷却効果を損なう事のないプロジェクターを提供する。特に、高精細対応の液晶パネルやＤＭＤデバイスであっても対応でき、画質の劣化を防ぐことができる。
【発明を実施するための最良の形態】
【００１２】
以下に本発明の実施の形態について、図を用いて説明する。図１は、本発明による液晶プロジェクターのほこり除去装置の１実施例を示すもので、１は液晶プロジェクター装置、２は光学系モジュール、３は投射レンズ、４は冷却装置の吸気口部、５は吸気フィルター、６は冷却ファン、７はイオン化用電極、８は集塵用電極、９は集塵紙、１０は集塵紙ホルダー、１１は直流高電圧発生装置、１２は冷却装置の排気フィルターを示している。図１で、光学系モジュール２には、液晶やＤＭＤデバイス、偏光板、及び熱を発生するランプ等が収納されている。また、冷却装置の吸気口部４には、外気を浄化する吸気フィルター５と冷却風を発生する冷却ファン６が配置され、冷却装置の排気フィルター１２は、比較的目が荒く冷却ファンによる冷却風の流量を妨げないネット部材で構成されている。そして、イオン化用電極７と集塵用電極８間には、光学系モジュール内のランプを点灯させる直流高電圧発生装置１１からの電圧が接続され、集塵用電極８を覆うように集塵紙９を取り付けた集塵紙ホルダー１０が設けられている。そして集塵紙ホルダー１０は、プロジェクター装置外部から取り出せるような構造になっている。
【実施例１】
【００１３】
次に、図１を用いて、本発明のプロジェクターのほこり除去装置の実施例の動作について説明する。図１の直流高電圧発生装置１１の電圧がイオン化用電極７と集塵用電極８間に印加されると、コロナ放電が起こり、この放電によってイオン化用電極７から集塵用電極８へ向かうイオン風が発生する。このイオン風の発生により、プロジェクター内の空気は冷却ファン６とイオン化用電極７の間から入り込み、そこで空気中に含まれるほこりはイオン化用電極７で帯電され、クーロン力により集塵用電極８に引かれて集塵紙９に取り込まれる。そして、浄化された空気は集塵用電極８から排出される。次に、プロジェクターが動作すると、冷却ファン６により冷却空気を吸気フィルタ５を通してプロジェクター１内に取り入れる。その際、外気からのほこりは吸気フィルタ５により捕捉され、さらには前記説明したように、イオン化用電極７で帯電され、集塵用電極８に引かれて集塵紙９にとりこまれる。このように、ほこりが除去された清浄な冷却風は、光学モジュール２に供給されて内部の表示デバイス、偏光板、発光ランプの冷却を行う。そして、冷却風は排気フィルター１２に供給される。そして、冷却風はスムーズに排気フィルタ１２を通ってプロジェクター外部に排出される。
【００１４】
そして、プロジェクターの動作が停止すると、十分な冷却を行った後、冷却ファン６は停止する。しかしながら、プロジェクター内部は、前記で述べたイオン化用電極７と集塵用電極８に印加された高電圧によるイオン風が吹いており、排気フィルター１２や他のすきまからプロジェクター内部に侵入した細かいほこりも、集塵紙９に取り込まれる。
【００１５】
集塵紙９を取り付けた集塵紙ホルダー１０は、プロジェクター装置外部から取り出せるような構造になっている為、ほこりが集塵紙９にたまってきた場合には簡単に集塵紙９を交換することができる。
【００１６】
また、他の実施例として、装置内部にスクリーンを配置した背面投射型プロジェクター装置に適用した例を図２に示す。
【図面の簡単な説明】
【００１７】
【図１】本発明によるプロジェクターのほこり除去装置の一実施例の内部構造を示す図である。
【図２】背面投射型プロジェクター装置に適用した例を示す図である。
【符号の説明】
【００１８】
１  プロジェクター装置
２  光学系モジュール
３  投射レンズ
４  冷却装置の吸気口部
５  吸気フィルター
６  冷却ファン
７  イオン化用電極
８  集塵用電極
９  集塵紙
１０  集塵紙ホルダー
１１  直流高電圧発生装置
１２  冷却装置の排気フィルター
【図１】
2005106903.tif 000003
【図２】
2005106903.tif 000004